(57)【要約】      （修正有）【課題】帽子の着用時に、側面周縁部分が使用者の耳に触れないようにして、着用感を向上させた帽子を提供する。【解決手段】帽子は、使用者の頭を覆うクラウン部１と、上記クラウン部１の前面下端部に設けられた庇部２と、上記クラウン部１の内部下端周縁部に設けられたヘッドバンド部３と、上記クラウン部１の後面下端部に設けられたサイズ調節装置部４とで構成する。上記クラウン部の側面を構成するパネル１１等の下端部を基準に斜めの角度に切断して、互いに縫製によって結合する。ヘッドバンド部３の側面の所定の位置において、ヘッドバンド部３の下側周縁部から上側周縁部に向かって、所定の位置まで斜め後方に切断し、ヘッドバンド部３の下側周縁部から上側周縁部に向かって、ヘッドバンド部３の所定の位置まで斜め前方に切断して、クラウン部１の三角形状切欠きに相当する切欠部を設ける。【選択図】図１
0003182368.tif 000002
【実用新案登録請求の範囲】
【請求項１】
使用者の頭部に装着されるバンド部と、
前記バンド部の下端部から前方へ突出するように、前記下端部に設けられる庇部とを有する帽子であって、
前記バンド部は、その両側面に略三角形状の第１の切欠き部を有することを特徴とする帽子。
【請求項２】
前記バンド部に重なるように設けられ、前記使用者の頭を覆うためのクラウン部をさらに含み、
前記クラウン部は、前記バンド部の前記第１の切欠き部に相当する、略三角形状の第２の切欠き部を有する請求項１に記載の帽子。
【請求項３】
前記クラウン部は、複数のパネルで構成され、
前記第２の切欠き部のそれぞれは、前記複数のパネルのうちの隣り合う２つのパネルを用いて構成されている請求項２に記載の帽子。
【請求項４】
前記隣り合う２つのパネルのそれぞれは、該パネルの一部が前記パネルの下辺部から長辺部に向かって斜めに切断された切断部を有し、
前記切断部が隣り合うように、前記隣り合う２つのパネルが結合されたとき、前記隣り合う２つのパネルの前記切断部は、前記略三角形状の前記第２の切欠き部を構成する請求項３に記載の帽子。
【請求項５】
前記バンド部は、前記庇部が設けられている前面バンドと、該全面バンドよりも後方に位置する後面バンドとで構成され、
前記第１の切欠き部のそれぞれは、前記前面バンドと前記後面バンドを用いて構成されている請求項１に記載の帽子。
【請求項６】
前記前面バンドは、前記頭部と接触する前面内側バンドと、該前面内側バンドよりも外側に位置する前面外側バンドとを含み、
前記前面バンドと前記後面バンドとは、前記前面内側バンドと前記前面外側バンドとで前記後面バンドを挟むように、互いに重なって結合されている請求項５に記載の帽子。
【請求項７】
前記前面バンドの両端部と、前記後面バンドの両端部とは、それぞれ、前記両端部から各前記バンドの前記下端部に向かって斜めに切断された切断部を有し、
前記前面バンドの前記切断部と、前記後面バンドの前記切断部とは、前記略三角形状の前記第１の切欠き部を構成する請求項５または６に記載の帽子。
【請求項８】
使用者の頭に装着されるバンド部と、
前記バンド部と重なるように設けられ、前記使用者の頭を覆うためのクラウン部と、
前記バンド部の下端部から前方へ突出するように、前記下端部と上記クラウン部の前面下端部に設けられた庇部とで構成され、
上記クラウン部が複数のパネルで構成され、
上記クラウン部の前記複数のパネルの中の両側面部パネルと両後面部パネルとの一部が、それぞれ、それらのパネルの下端部を基準に斜めに切断されて、
前記両側面部パネルと前記両後面部パネルとが結合されたとき、前記両側面部パネルと前記両後面部パネルとの切断された部分が三角形状の切欠きを構成することを特徴とする着用感を改善した帽子。
【請求項９】
使用者の頭に装着されるバンド部と、
上記バンド部の下端部から前方へ突出するように、前記下端部に設けられた庇部とで構成され、
上記バンド部が前面バンドと後面バンドとで構成され、
上記前面バンドと後面バンドとのそれぞれが２重に製作され、
前記前面バンドと後面バンドとのそれぞれは、その端部から前記下端部に向かって下部方向に斜めに切断され、
上記前面バンドと後面バンドの斜めに切断された部分の一部が互いに重なって結合され、三角形状の切欠きを構成することを特徴とする着用感を改善したサンバイザー。
【考案の詳細な説明】
【技術分野】
【０００１】
本考案は帽子の改善された形態に関するもので、より詳しくは、帽子の着用時に、側面周縁部分が使用者の耳に触れないようにして、全体的に帽子の着用感を大きく向上させた改善された帽子に関する。
【背景技術】
【０００２】
帽子は、一般に、野球帽スタイルで、大きく使用者の頭を覆うクラウン部と、上記クラウン部の前面下端部に付着されて、使用者の顔を日光から保護する庇部と、クラウン部の後面下端部に付着されて、使用者の頭の大きさによってサイズを調節するサイズ調節装置部と、帽子の内部下端周縁部に付着されて、使用者の額と頭の周りに流れる汗を吸収するヘッドバンド部とで構成されている。上記野球帽スタイルの帽子は、運動選手以外に老若男女を問わず、多くの人々が日光から顔を保護するために、また自分を表現するファッション道具として着用している。
【０００３】
一方、上記野球帽子スタイルだけではなく、サンバイザー（ｓｕｎ  ｖｉｓｏｒ）として、使用者の頭の周り部分を囲むバンド部と、バンド部の前面下端部に付着された庇部と、バンド部の後面部に付着されたサイズ調節装置部とで構成された帽子（サンバイザー）も広く使われている。
【０００４】
しかし、上記帽子の場合、着用時の帽子の角度によって、帽子の側面周縁部分が使用者の耳に触れて、不便を与えるという問題点があった。
【考案の開示】
【考案が解決しようとする課題】
【０００５】
そこで、本考案は上記のような問題点を解決するために案出されたもので、帽子の側面周縁部分が使用者の耳に触れないように製作することによって、帽子の着用感を大きく向上させることをその目的とする。
【課題を解決するための手段】
【０００６】
上記目的を達するために、本考案の帽子は、使用者の頭部に装着されるバンド部と、大きく使用者の頭を覆うクラウン部と、上記クラウン部の前面下端部に位置した庇部とで構成されている。前記クラウン部は、上記クラウン部の側面部を構成するパネルがその下端部を基準に斜めの角度に切断されて、それらのパネルが互いに縫製によって結合されるように、製作されることを特徴とする。
【０００７】
また、本考案の帽子は、使用者の頭部に装着されるバンド部と、前記バンド部の下端部から前方へ突出するように、前記下端部に設けられる庇部とを有する帽子であって、前記バンド部は、その両側面に略三角形状の第１の切欠き部を有することを特徴とする。
【０００８】
また、本考案のサンバイザーは、使用者の頭に装着されるバンド部と、上記バンド部の下端部から前方へ突出するように、前記下端部に設けられた庇部とで構成され、上記バンド部が前面バンドと後面バンドとで構成され、上記前面バンドと後面バンドとのそれぞれが２重に製作され、前記前面バンドと後面バンドとのそれぞれは、その端部から前記下端部に向かって下部方向に斜めに切断され、上記前面バンドと後面バンドの斜めに切断された部分の一部が互いに重なって結合され、三角形状の切欠きを構成することを特徴とする。
【考案の効果】
【０００９】
以上で説明したように、本考案の着用感を改善した帽子は、使用者が着用時、帽子の側面周縁部分が使用者の耳部分に触れないように製作して、全体的に帽子の着用感を大きく向上させた効果を奏する。
【図面の簡単な説明】
【００１０】
【図１】本考案の一実施例による帽子の斜視図である。
【図２】図１のＡ−Ａ`部分の断面図である。
【図３】本考案の一実施例による帽子の着用図である。
【図４】本考案の他の実施例によるサンバイザーの側面図である。
【図５】図４のＢ−Ｂ`部分の断面図である。
【図６】本考案の他の実施例によるサンバイザーの着用図である。
【考案を実施するための形態】
【００１１】
このような目的を達するために、本考案の実施例による詳細な説明は次の通りである。
【００１２】
＜第１実施形態＞
図１は本考案の一実施例による帽子の斜視図であり、図２は図１のＡ−Ａ`部分の断面図であり、図３は本考案の一実施例による帽子の着用図である。以下、これらの図面を用いて本考案の帽子を詳細に説明する。
【００１３】
図１、図２、図３で示すように、本考案の一実施例による帽子は、使用者の頭を覆うクラウン部１と、上記クラウン部１の前面下端部に設けられた庇部２と、上記クラウン部１の内部下端周縁部に設けられたヘッドバンド部３と、上記クラウン部１の後面下端部に設けられたサイズ調節装置部４とで構成されている。
【００１４】
クラウン部１は、使用者の頭を覆うためのものである。したがって、クラウン部１は、ドーム状の形状をなしている。クラウン部１は、その下端周縁部において、ヘッドバンド部３と重なって結合している。すなわち、図２に示すように、クラウン部１の下端周縁部は、帽子の内側に折り曲げられ、その折り曲げられた部分でヘッドバンド部３と結合している。
【００１５】
上記クラウン部１は、複数のパネル（ｐａｎｅｌ）で製作されている。図１、３に示されるように、本実施形態において、クラウン部１は、略三角形状の６枚のパネルで構成されている。しかし、パネルの数はこれに限定されない。上記クラウン部１を構成する６枚のパネルは、互いに同じ大きさで構成され、クラウン部１がドーム状になるように、各パネルの斜辺で互いに結合されている。
【００１６】
前記６枚のパネルは、庇部が設けられる２枚の前面部パネルと、この２枚の前面部パネルのそれぞれと結合する２枚の側面部パネル１１、１３と、この２枚の側面部パネルとそれぞれ結合する２枚の後面部パネル１２、１４とを含んでいる。すなわち、６枚のパネルは、図３に示すように、側面部パネル１１から時計回りに、前面部パネル、前面部パネル、側面部パネル１３、後面部パネル１４、後面部パネル１２の順で、これらが結合されて構成されている。
【００１７】
前記６枚のパネルの中の両側面部パネル１１、１３と両後面部パネル１２、１４の一部は、それらパネル部の下端部を基準に斜めの角度に切断される。このように、本発明は、使用者の耳の上部に位置した部分で高い角度にパネルの一部が切断されることによって、上記クラウン部１の両側面部のパネル１１、１３と両後面部パネル１２、１４の切断された部分がそれらパネル部の下端部を基準に三角形形態を成すように製作されたことを特徴とする。
【００１８】
具体的には、側面部パネル１１の下端部は、側面部パネル１１の底辺（下辺）から後面部パネル１２に接する側面部パネル１１の斜辺（長辺）に向かって、斜めに切断されている。また、後面部パネル１２の下端部は、後面部パネル１２の底辺（下辺）から側面部パネル１１に接する後面部パネル１２の斜辺（長辺）に向かって、斜めに切断されている。側面部パネル１１と後面部パネル１２は結合されているので、側面部パネル１１の切断された部分（切断部）と、後面部パネル１２の切断された部分（切断部）とは、略三角形状の切欠き部（第２の切欠き部）を構成している。
【００１９】
一方、側面部パネル１３の下端部は、側面部パネル１３の底辺（下辺）から後面部パネル１４に接する側面部パネル１３の斜辺（長辺）に向かって、斜めに切断されている。また、後面部パネル１４の下端部は、後面部パネル１４の底辺（下辺）から側面部パネル１３に接する後面部パネル１４の斜辺（長辺）に向かって、斜めに切断されている。側面部パネル１３と後面部パネル１４は結合されているので、側面部パネル１３の切断された部分（切断部）と、後面部パネル１４の切断された部分（切断部）とは、略三角形状の切欠き部（第２の切欠き部）を構成している。
【００２０】
このような切欠き部は、使用者が帽子を着用した際、丁度、使用者の耳の上部に位置することになる。したがって、使用者が帽子を深く着用したとしても、使用者の耳がクラウン部１のパネルに触れることがないため、使用者の着用感を改善することができる。
【００２１】
クラウン部１の６枚のパネルの結合方法は、特に限定されないが、例えば、縫製による方法が挙げられる。例えば、上記クラウン部１の両側面部のパネル１１、１３と両後面部のパネル１２、１４の切断されたパネルの結合は縫製によって結合される。
【００２２】
なお、互いに結合された後面部パネル１２、１４には、後述するサイズ調節装置部４を設けるために、背面視で略半円形状の切欠きが設けられている。
【００２３】
庇部２は、使用者の顔を日光から保護するためのものである。庇部２は、クラウン部１の２枚の前面部パネルの下端部と、２枚の側面部パネル１１、１３の下端部の一部とから前方に突出するように形成されている。庇部２は、クラウン部１の下端周縁部に沿うように形成されているので、湾曲状に構成されている。庇部２の突出長さ、面積、厚さなどは、特に限定されず、用途に応じて適宜設定することができる。
【００２４】
ヘッドバンド部３は、使用者の頭に装着するためのものであり、使用者の額と頭の回りに流れる汗を吸収する機能を有する。そのため、ヘッドバンド部３は、略円環状の形状を有している。しかしながら、ヘッドバンド部３は、本実施形態のように、サイズ調節装置部４を含有するために、略Ｃ字状の形状を有していてもよい。
【００２５】
図２に示すように、ヘッドバンド部３の上側周縁部と下側周縁部は、クラウン部１側に折り曲げられている。このヘッドバンド部３の下側周縁部の折り曲げられた部分が、前述したクラウン部１の下端周縁部の折り曲げられた部分と結合している。換言すると、ヘッドバンド部３は、クラウン部１の内側の下端周縁部に設けられている。
【００２６】
ヘッドバンド部３の側面には、クラウン部１の略三角形状の切欠き部に相当するような、切欠き部（第１の切欠き部）が形成されている。具体的には、ヘッドバンド部３の側面の所定の位置において、ヘッドバンド部３の下側周縁部から上側周縁部に向かって、所定の位置まで斜め後方に切断し、ヘッドバンド部３の下側周縁部から上側周縁部に向かって、ヘッドバンド部３の所定の位置まで斜め前方に切断する。これにより、略三角形状の切欠き部が形成される。
【００２７】
このような切欠き部は、クラウン部１の切欠き部と重なっているので、使用者が帽子を着用した際、丁度、使用者の耳の上部に位置することになる。したがって、使用者が帽子を深く着用したとしても、使用者の耳がクラウン部１のパネルに触れることがないため、使用者の着用感を改善することができる。
【００２８】
サイズ調節装置部４は、ヘッドバンド部３の大きさが使用者の頭の大きさに合うように、ヘッドバンド部３のサイズを調節する装置である。本実施形態において、サイズ調節装置部４は、長尺状の形状を有している。そして、サイズ調節装置部４は、Ｃ字状のヘッドバンド部３の両端と結合し、クラウン部１の下端周縁部に沿って、後面部パネル１２、１４の略半円形状の切欠き部内に設けられている。
【００２９】
以上のように説明した上記本考案の一実施例による帽子は、着用時、使用者が充分に深く帽子を着用しても、使用者の耳が上記帽子のクラウン部の何れのパネルにも触れなくなることによって、全体的に使用者の帽子の着用感を大きく改善することができる。
【００３０】
＜第２実施形態＞
図４は本考案の他の実施例によるサンバイザーの斜視図であり、図５は図４のＢ−Ｂ`部分の断面図であり、図６は本考案の他の実施例によるサンバイザーの着用図である。以下、これらの図面を用いて本考案のサンバイザーを詳細に説明する。
【００３１】
図４、５、６で示すように、本考案の他の実施例によるサンバイザー（帽子）は、使用者の頭の周り部分を囲むバンド部５と、上記バンド部５の前面下端部に設けられて、使用者の顔を日光から保護する庇部６と、上記バンド部５の後面部に設けられ、使用者の頭の大きさによってサイズを調節するサイズ調節装置部７とで構成されている。
【００３２】
上記バンド部５は、使用者の頭に装着するためのものであり、略円環形状をなしていいる。バンド部５の側面部には、略三角形状の切欠き部（第１の切欠き部）が形成されている。このような切欠き部は、使用者が帽子を着用した際、丁度、使用者の耳の上部に位置することになる。したがって、使用者が帽子を深く着用したとしても、使用者の耳がクラウン部１のパネルに触れることがないため、使用者の着用感を改善することができる。
【００３３】
上記バンド部５は、図４に示すように、前方に形成され、庇部６が設けられる前面バンド部と、後方に形成され、サイズ調節装置部７が設けられる後面バンド部とで構成されている。上記前面バンド部は、使用者の額部位と側面部の一部を囲むようにし製作されている。一方、上記後面バンド部は、使用者の頭後面部と側面部の一部を囲むように製作されている。前面バンド部と後面バンド部とは、それぞれ、略Ｃ字状の形状に形成されている。
【００３４】
前面バンド部は、その表面を構成する前面外側バンド５２ａと、頭部と接触する前面内側バンド５２ｂとを含み、それらの２重構造で形成されている。また、後面バンド部は、その表面を構成する後面外側バンド５３ａと、頭部と接触する後面内側バンド５３ｂとを含み、それらの２重構造で形成されている。
【００３５】
前面バンド部と、後面バンド部とは、図５に示すように、前面バンド部の前面外側バンド５２ａと前面内側バンド５２ｂとで後面バンド部を挟むように、互いに重なって結合している。これにより、バンド部５を形成している。
【００３６】
前面バンド部と、後面バンド部とが結合する部分、すなわち、上記前面外側バンド５２ａと前面内側バンド５２ｂ、後面外側バンド５３ａと後面内側バンド５３ｂが結合される部分（バンド部５の両側面部）は、それぞれ、前面バンド部と後面バンド部との下端部から上部方向に斜めの角度に切断され、前記切欠き部が形成されるように製作されている。また、上記前面外側バンド５２ａ、前面内側バンド５２ｂ、後面外側バンド５３ａ、後面内側バンド５３ｂの斜めの角度に切断された部分の一部が互いに重なるようになっている。また、上記前面外側バンド５２ａ、前面内側バンド５２ｂ、後面外側バンド５３ａ、後面内側バンド５３ｂとが、互いに重なる部分を縫製して互いに結合されるように製作されたことを特徴とする。
【００３７】
具体的には、前面バンド部の一方の端部は、該端部からその下端部前方に向かって、斜めに切断されている。また、後面バンド部の一方の端部は、該端部からその下端部後方に向かって、斜めに切断されている。前面バンド部と後面バンド部とは結合されているので、前面バンド部の一方の端部の切断された部分（切断部）と、後面バンド部の一方の端部の切断された部分（切断部）とは、略三角形状の切欠き部（第１の切欠き部）を構成している。
【００３８】
同様に、前面バンド部の他方の端部は、該端部からその下端部前方に向かって、斜めに切断されている。また、後面バンド部の他方の端部は、該端部からその下端部後方に向かって、斜めに切断されている。前面バンド部と後面バンド部とは結合されているので、前面バンド部の他方の端部の切断された部分（切断部）と、後面バンド部の他方の端部の切断された部分（切断部）とは、略三角形状の切欠き部（第１の切欠き部）を構成している。
【００３９】
このような切欠き部は、使用者が帽子を着用した際、丁度、使用者の耳の上部に位置することになる。したがって、使用者が帽子を深く着用したとしても、使用者の耳がクラウン部１のパネルに触れることがないため、使用者の着用感を改善することができる。
【００４０】
前面外側バンド５２ａと後面外側バンド５３ａ、前面内側バンド５２ｂと後面内側バンド５３ｂは、縫製によって結合されているが、これに限定されない。
【００４１】
図４および図５に示すように、上記前面外側バンド５２ａ、前面内側バンド５２ｂと、後面外側バンド５３ａ、後面内側バンド５３ｂとが結合された上記バンド部５は、その上端周縁部分において、該上端周縁部分を覆う仕上げ処理部５１を有している。上記仕上げ処理部５１は、上記バンド部５の上端周縁部分を覆うことができるように、幅の狭い生地が用いられることが好ましい。しかし、このような生地に限定されない。
【００４２】
庇部６は、使用者の顔を日光から保護するものである。庇部６は、バンド部５の前面バンド部の下端部から前方に突出するように形成されている。庇部６は、前面バンド部の下端部に沿うように形成されているので、湾曲状に構成されている。庇部６の突出長さ、面積、厚さなどは、特に限定されず、用途に応じて適宜設定することができる。
【００４３】
サイズ調節装置部７は、バンド部５の大きさが使用者の頭の大きさに合うように、バンド部５のサイズを調節する装置である。本実施形態において、サイズ調節装置部７は、バンド部５の後面、すなわち、後面バンド部の表面に設けられている。なお、サイズ調節装置部７は、これに限定されず、第１実施形態で説明したような形態の装置であってもよい。
【００４４】
以上のように説明した上記本考案の他の実施例によるサンバイザーは、その着用時に、上記本考案による一実施例と同じく、使用者が充分に深くサンバイザーを着用しても、使用者の耳が上記サンバイザーのバンド部のパネルに触れなくなることによって、全体的に使用者のサンバイザーの着用感を大きく改善することができる。
【００４５】
以上、本考案は上記記載された具体例のみについて詳しく説明したが、本考案の思想及び範囲内で多様に変更することができることは、本考案が属する技術分野における当業者にとって自明である。
【符号の説明】
【００４６】
１：クラウン部                          
２：庇部
３：ヘッドバンド部                      
４：サイズ調節装置部
１１、１３：クラウン部の両側面部パネル
１２、１４：クラウン部の両後面部パネル
５：バンド部                          
６：庇部
７：サイズ調節装置部
５１：仕上げ処理部                  
５２ａ：前面外側バンド
５２ｂ：前面内側バンド
５３ａ：後面外側バンド
５３ｂ：後面内側バンド
【図１】
0003182368.tif 000003
【図２】
0003182368.tif 000004
【図３】
0003182368.tif 000005
【図４】
0003182368.tif 000006
【図５】
0003182368.tif 000007
【図６】
0003182368.tif 000008